(57)【要約】【課題】複数の機能のうち使用者が所望する機能を、簡単な操作で選択することができるようにしたヒートポンプ装置用リモコンを提供する。【解決手段】リモコン２は、表示部６２と、複数の機能を記憶する記憶部と、複数の機能を表示部に表示させ、何れかの機能を選択するための選択スイッチ６８と、リモコンの動作を制御する制御装置と、便利スイッチ６７を備える。制御装置は、何れかの機能を便利スイッチに対して割り付けるモードを有し、割り付けられた当該機能を記憶部に記憶させると共に、便利スイッチが操作された場合、当該便利スイッチに対して割り付けられた機能が選択されたことをヒートポンプ式給湯装置の制御装置に送信する。【選択図】図３
2017083073.tif 000002
【特許請求の範囲】
【請求項１】
ヒートポンプ装置の制御装置に接続され、当該ヒートポンプ装置の運転状況の表示及び機能選択、設定の入力を行うためのヒートポンプ装置用リモコンにおいて、
表示手段と、
複数の機能を記憶する記憶手段と、
前記複数の機能を前記表示手段に表示させ、何れかの機能を選択するための選択手段と、
前記リモコンの動作を制御する制御手段と、
操作手段とを備え、
前記制御手段は、何れかの前記機能を前記操作手段に対して割り付けるモードを有し、割り付けられた当該機能を前記記憶手段に記憶させると共に、
前記操作手段が操作された場合、当該操作手段に対して割り付けられた機能が選択されたことを前記ヒートポンプ装置の制御装置に送信することを特徴とするヒートポンプ装置用リモコン。
【請求項２】
前記制御手段は、前記操作手段に対して割り付けられた機能を前記表示手段の基本画面に表示することを特徴とする請求項１に記載のヒートポンプ装置用リモコン。
【請求項３】
前記操作手段は前記表示手段に隣接して設けられ、
前記制御手段は、前記操作手段に割り付けられた機能を、前記表示手段の前記操作手段近傍に位置する箇所に表示することを特徴とする請求項２に記載のヒートポンプ装置用リモコン。
【請求項４】
前記操作手段に対応して設けられたバックライト照明を備え、
前記制御手段は、前記操作手段に機能が割り付けられている場合、前記バックライト照明を点灯させ、前記操作手段に機能が割り付けられていない場合、前記バックライト照明を消灯させることを特徴とする請求項１乃至請求項３のうちの何れかに記載のヒートポンプ装置用リモコン。
【請求項５】
音声発生手段を備え、
前記制御手段は、前記操作手段に機能が割り付けられた場合、前記音声発生手段により所定の音声を出力すると共に、
割り付けられた前記機能に応じて異なる音声を出力することを特徴とする請求項１乃至請求項４のうちの何れかに記載のヒートポンプ装置用リモコン。
【請求項６】
前記制御手段は、前記操作手段に対する複数の操作状態を識別し、各操作状態に対応して異なる前記機能をそれぞれ割り付け可能とされていることを特徴とする請求項１乃至請求項５のうちの何れかに記載のヒートポンプ装置用リモコン。
【請求項７】
前記制御手段は、前記複数の機能のうち、使用頻度の高い機能を前記操作手段に対して割り付けることを特徴とする請求項１乃至請求項６のうちの何れかに記載のヒートポンプ装置用リモコン。
【請求項８】
請求項１乃至請求項７のうちの何れかに記載のヒートポンプ装置用リモコンが少なくとも一台接続されていることを特徴とするヒートポンプ装置。
【請求項９】
前記ヒートポンプ装置用リモコンが少なくとも二台接続されており、
第１の前記リモコンと第２の前記リモコンにおいて、前記操作手段に異なる前記機能を割り付け可能とされていることを特徴とする請求項８に記載のヒートポンプ装置。
【請求項１０】
前記ヒートポンプ装置はヒートポンプ式給湯装置であって、前記第１のリモコンは台所用のリモコンであり、前記第２のリモコンは浴室用のリモコンであることを特徴とする請求項９に記載のヒートポンプ装置。
【発明の詳細な説明】
【技術分野】
【０００１】
本発明は、ヒートポンプ式給湯装置等のヒートポンプ装置の制御装置に接続され、運転状況の表示や機能の選択、設定の入力を行うためのリモコン、及び、それを用いたヒートポンプ装置に関する。
【背景技術】
【０００２】
従来よりこの種ヒートポンプ装置、例えばヒートポンプ式給湯装置では、運転状況や機能の選択、設定の入力を使用者が行うために浴室や台所の壁面にリモコンが取り付けられる。これらリモコンはヒートポンプ式給湯装置の制御装置に接続されており、その前面には表示部と機能毎の各種スイッチが設けられ、表示部を見ながらスイッチを操作することで、現在のヒートポンプ式給湯装置の運転状況や次に行わせる機能の選択、湯の温度等の設定値の入力を行えるように構成されている。
【０００３】
また、近年のこの種ヒートポンプ式給湯装置の多機能化に伴い、機能の選択や設定の入力を行う項目も増大しているため、従来の如くリモコンにスイッチを設ける場合には、その数が膨大となり、スペース上の問題とコストの高騰を招いてしまう。そこで、近年では複数の機能を階層化して表示部に切り替え表示できるようにし、選択スイッチで選択することで、機能の選択や設定の入力を行えるようにしていた（例えば、特許文献１参照）。
【先行技術文献】
【特許文献】
【０００４】
【特許文献１】特開２００９−２５０５７０号公報
【発明の概要】
【発明が解決しようとする課題】
【０００５】
しかしながら、階層化された複数の機能のうちの所望の機能を選択スイッチを用いて選択し、表示部に表示させて選択や入力を行う作業は極めて面倒なものであった。また、比較的頻繁に使用される機能は使用者や環境によって異なるため、予めそれを予測して専用のスイッチを設けることも困難である。
【０００６】
本発明は、係る従来の技術的課題を解決するために成されたものであり、複数の機能のうち使用者が所望する機能を、簡単な操作で選択することができるようにしたヒートポンプ装置用リモコン、及び、それを用いたヒートポンプ装置を提供することを目的とする。
【課題を解決するための手段】
【０００７】
上記課題を解決するために、本発明のヒートポンプ装置用リモコンは、ヒートポンプ装置の制御装置に接続され、当該ヒートポンプ装置の運転状況の表示及び機能選択、設定の入力を行うためのものであって、表示手段と、複数の機能を記憶する記憶手段と、複数の機能を表示手段に表示させ、何れかの機能を選択するための選択手段と、リモコンの動作を制御する制御手段と、操作手段とを備え、制御手段は、何れかの機能を操作手段に対して割り付けるモードを有し、割り付けられた当該機能を記憶手段に記憶させると共に、操作手段が操作された場合、当該操作手段に対して割り付けられた機能が選択されたことをヒートポンプ装置の制御装置に送信することを特徴とする。
【０００８】
請求項２の発明のヒートポンプ装置用リモコンは、上記発明において制御手段は、操作手段に対して割り付けられた機能を表示手段の基本画面に表示することを特徴とする。
【０００９】
請求項３の発明のヒートポンプ装置用リモコンは、上記発明において操作手段は表示手段に隣接して設けられ、制御手段は、操作手段に割り付けられた機能を、表示手段の操作手段近傍に位置する箇所に表示することを特徴とする。
【００１０】
請求項４の発明のヒートポンプ装置用リモコンは、上記各発明において操作手段に対応して設けられたバックライト照明を備え、制御手段は、操作手段に機能が割り付けられている場合、バックライト照明を点灯させ、操作手段に機能が割り付けられていない場合、バックライト照明を消灯させることを特徴とする。
【００１１】
請求項５の発明のヒートポンプ装置用リモコンは、上記各発明において音声発生手段を備え、制御手段は、操作手段に機能が割り付けられた場合、音声発生手段により所定の音声を出力すると共に、割り付けられた機能に応じて異なる音声を出力することを特徴とする。
【００１２】
請求項６の発明のヒートポンプ装置用リモコンは、上記各発明において制御手段は、操作手段に対する複数の操作状態を識別し、各操作状態に対応して異なる機能をそれぞれ割り付け可能とされていることを特徴とする。
【００１３】
請求項７の発明のヒートポンプ装置用リモコンは、上記各発明において制御手段は、複数の機能のうち、使用頻度の高い機能を操作手段に対して割り付けることを特徴とする。
【００１４】
請求項８の発明のヒートポンプ装置は、請求項１乃至請求項７のうちの何れかに記載のヒートポンプ装置用リモコンが少なくとも一台接続されていることを特徴とする。
【００１５】
請求項９の発明のヒートポンプ装置は、上記発明においてヒートポンプ装置用リモコンが少なくとも二台接続されており、第１のリモコンと第２のリモコンにおいて、操作手段に異なる機能を割り付け可能とされていることを特徴とする。
【００１６】
請求項１０の発明は上記発明においてヒートポンプ装置がヒートポンプ式給湯装置であって、第１のリモコンは台所用のリモコンであり、第２のリモコンは浴室用のリモコンであることを特徴とする。
【発明の効果】
【００１７】
本発明によれば、ヒートポンプ装置の制御装置に接続され、当該ヒートポンプ装置の運転状況の表示及び機能選択、設定の入力を行うためのヒートポンプ装置用リモコンにおいて、表示手段と、複数の機能を記憶する記憶手段と、複数の機能を表示手段に表示させ、何れかの機能を選択するための選択手段と、リモコンの動作を制御する制御手段と、操作手段とを備え、制御手段は、何れかの機能を操作手段に対して割り付けるモードを有し、割り付けられた当該機能を記憶手段に記憶させると共に、操作手段が操作された場合、当該操作手段に対して割り付けられた機能が選択されたことをヒートポンプ装置の制御装置に送信するようにしたので、請求項８の発明の如くヒートポンプ装置に少なくとも一台接続されるヒートポンプ装置用リモコンにおいて所望の機能を操作手段に割り付けておけば、使用者がリモコンの操作手段を操作するだけで、当該機能が選択されたことを制御手段からヒートポンプ装置の制御装置に送信することができるようになる。
【００１８】
即ち、複数の機能のうちの所望の機能を簡単な操作で選択して、ヒートポンプ装置の制御装置に当該機能を実行させることができるようになるので、使用者の使い勝手を著しく向上させることができるようになる。また、操作手段には使用者自らが所望する機能を割り付けることになるので、メーカー側としては予め使用頻度の高い機能を予想して操作手段を例えば複数設けておく必要もなくなり、部品点数の削減とコストの低減も図ることが可能となる利点がある。
【００１９】
この場合、請求項２の発明の如く制御手段が、操作手段に対して割り付けられた機能を表示手段の基本画面に表示するようにすれば、現在操作手段に割り付けられている機能を使用者は容易に確認することが可能となり、特に複数の使用者がリモコンを操作する場合に利便性が向上する。
【００２０】
更に、請求項３の発明の如く操作手段を表示手段に隣接して設け、制御手段が、操作手段に割り付けられた機能を、表示手段の操作手段近傍に位置する箇所に表示するようにすれば、操作手段とそれに割り付けられている機能との関係が分かり易くなり、特にリモコン操作に不慣れな使用者にとって極めて使い勝手の良いものとなる。
【００２１】
また、請求項４の発明によれば、上記各発明に加えて操作手段に対応して設けられたバックライト照明を備え、制御手段は、操作手段に機能が割り付けられている場合、バックライト照明を点灯させ、操作手段に機能が割り付けられていない場合、バックライト照明を消灯させるようにしたので、操作手段に機能が割り付けられているか否かが極めて分かり易くなると共に、機能が割り付けられていない操作手段を誤って操作してしまう無駄も未然に排除することが可能となる。
【００２２】
また、請求項５の発明によれば、上記各発明に加えて音声発生手段を備え、制御手段は、操作手段に機能が割り付けられた場合、音声発生手段により所定の音声を出力するようにしたので、操作手段に機能の割り付けが完了したことを容易に確認することができるようになる。また、割り付けられた機能に応じて異なる音声を出力するようにしたので、各種機能に応じて使用者に告知すべき事項を確実に報知することができるようになる。
【００２３】
また、請求項６の発明の如く制御手段が、操作手段に対する複数の操作状態を識別し、各操作状態に対応して異なる機能をそれぞれ割り付け可能とすることにより、一つの操作手段に対して複数の機能を割り付けることが可能となり、部品点数を増やすことなく更なる利便性の向上を図ることができるようになる。
【００２４】
また、請求項７の発明の如く制御手段が、複数の機能のうち、使用頻度の高い機能を操作手段に対して割り付けるようにすれば、使用者が割り付けること無く、当該使用者の使用頻度が高い機能が制御手段によって自動的に操作手段に割り付けられるようになり、更なる利便性の改善が図られることになる。
【００２５】
ここで、請求項９の発明の如くヒートポンプ装置に少なくとも二台のヒートポンプ装置用リモコンが接続されているとき、第１のリモコンと第２のリモコンにおいて、操作手段に異なる機能を割り付けることができるようにすれば、請求項１０の発明の如くヒートポンプ装置がヒートポンプ式給湯装置であって、第１のリモコンが台所用のリモコンであり、第２のリモコンが浴室用のリモコンである場合に、浴室で良く使用する機能を浴室用のリモコンの操作手段に割り付け、台所では当該台所で良く使用する機能を台所用のリモコンの操作手段に割り付けることが可能となり、極めて使い勝手の良いヒートポンプ装置を実現することができるようになるものである。
【図面の簡単な説明】
【００２６】
【図１】本発明を適用したヒートポンプ装置の一実施例としてのヒートポンプ式給湯装置の構成図である。
【図２】図１のヒートポンプ式給湯装置の制御系を説明する構成図である。
【図３】図２のヒートポンプ式給湯装置の台所用のリモコン（本発明の第１のリモコンの一実施例）の正面図である。
【図４】図２のヒートポンプ式給湯装置の浴室用のリモコン（本発明の第２のリモコンの一実施例）の正面図である。
【図５】図２のヒートポンプ式給湯装置のタンクユニットの制御装置の機能ブロック図である。
【図６】図２のヒートポンプ式給湯装置のリモコンの機能ブロック図である。
【図７】図２のヒートポンプ式給湯装置の起動時の通信フロー図である。
【図８】図２のヒートポンプ式給湯装置の起動時にリモコンの表示部に表示される画面を示す図である。
【図９】表示部に基本画面を表示している図３の台所用のリモコンの正面図である。
【図１０】図９の台所用のリモコンのメニュー／戻るスイッチを操作したときに表示部に表示される画面を示す図である。
【図１１】図１０の各種設定を選択したときに台所用のリモコンの表示部に表示される画面を示す図である。
【図１２】図１１の「便利スイッチ」を選択したときに台所用のリモコンの表示部に表示される画面を示す図である。
【図１３】図１２の「おやすみ」を選択したときに台所用のリモコンの表示部に表示される基本画面を示す図である。
【図１４】図４の浴室用のリモコンのメニュースイッチを操作したときに表示部に表示される画面を示す図である。
【図１５】図１４の各種設定を選択したときに浴室用のリモコンの表示部に表示される画面を示す図である。
【図１６】図１５の「便利スイッチ」を選択したときに浴室用のリモコンの表示部に表示される画面を示す図である。
【図１７】図１６の「たし湯」を選択したときに浴室用のリモコンの表示部に表示される画面を示す図である。
【図１８】図１７で決定スイッチを操作したときに浴室用のリモコンの表示部に表示される画面を示す図である。
【図１９】図１８でメニュー／戻るスイッチを操作したときに浴室用のリモコンの表示部に表示される基本画面を示す図である。
【図２０】図２のヒートポンプ式給湯装置の便利スイッチ設定時の通信フロー図である。
【図２１】給湯温度が６０℃に設定されたときの各リモコンの表示部に表示される画面を示す図である。
【図２２】高温設定がＯＦＦのときに図１１の「リモコン設定」を選択した場合に台所用のリモコンの表示部に表示される画面を示す図である。
【図２３】高温設定がＯＮのときに図１１の「リモコン設定」を選択した場合に台所用のリモコンの表示部に表示される画面を示す図である。
【図２４】浴室用のリモコンが優先とされているときの表示部に表示される画面を示す図である。
【図２５】台所用のリモコンが優先とされているときの表示部に表示される画面を示す図である。
【図２６】追いだきの際の異常時に浴室用のリモコンの表示部に表示される画面を示す図である。
【図２７】追いだきの際のもう一つの異常時に浴室用のリモコンの表示部に表示される画面を示す図である。
【図２８】図１０の外気温度を選択したときに台所用のリモコンの表示部に表示される画面を示す図である。
【図２９】図２８で外気温度の取得が完了したときに台所用のリモコンの表示部に表示される画面を示す図である。
【発明を実施するための形態】
【００２７】
以下、本発明の実施の形態について、詳細に説明する。
（１）ヒートポンプ式給湯装置１の構成
図１は本発明を適用するヒートポンプ装置の一実施例としてのヒートポンプ式給湯装置１の構成図、図２は同ヒートポンプ式給湯装置１の制御系を説明する構成図、図３はヒートポンプ式給湯装置１の台所用のリモコン２（本発明の第１のリモコンの一実施例）の正面図、図４は本発明を適用する一実施例としてのヒートポンプ式給湯装置１の浴室用のリモコン３（本発明の第２のリモコンの一実施例）の正面図、図５はヒートポンプ式給湯装置１のタンクユニット４の制御装置６の機能ブロック図、図６は台所用及び浴室用のリモコン２、３の機能ブロック図である。本発明のヒートポンプ装置の一実施例としてのヒートポンプ式給湯装置１は、ヒートポンプユニット７と、タンクユニット４と、台所用と浴室用の二台のリモコン（リモートコントローラ）２、３とから構成されている。
【００２８】
（１−１）ヒートポンプユニット７
このうちヒートポンプユニット７は屋外に設置され、圧縮機８と、第１の水熱交換器（放熱器）９と、膨張弁（電子膨張弁：電動弁）１１と、エバポレータ（空気−冷媒熱交換器）１２が順次管状に配管接続された冷媒回路１３により構成されている。
【００２９】
尚、１４はエバポレータ１２に外気を通風するための送風機、１６はヒートポンプユニット７の制御装置である。また、ヒートポンプユニット７には更に圧縮機８の吐出側の配管に取り付けられた吐出温度センサ１７と、外気温度を検出する外気温度センサ１８と、入水温度センサ１９と、出湯温度センサ２１が設けられ、これらの各センサは制御装置１６の入力に接続されている。制御装置１６の出力には前述した圧縮機８、膨張弁１１及び送風機１４が接続され、前記各センサからの出力並びに後述するタンクユニット４の制御装置６からの指示に基づいて制御装置１６により制御される。
【００３０】
（１−２）タンクユニット４
タンクユニット４も屋外に設置されており、所定容量の貯湯タンク２３と、第２の水熱交換器２４と、第１〜第３のポンプ２６〜２８と、電磁弁２９と、三方弁３２と、第１及び第２の混合弁３３、３４を備えている。このタンクユニット４の貯湯タンク２３の下端からは第１の水回路３６が引き出され、第１のポンプ２６を経てタンクユニット４から出た後、ヒートポンプユニット７に入り、第１の水熱交換器９を経て再びヒートポンプユニット７から出る。この第１の水熱交換器９にて第１の水回路３６を流れる水は圧縮機８から吐出された高温冷媒と熱交換する。第１の水回路３６はその後、タンクユニット４に戻り、三方弁３２の入口−第１の出口を経て貯湯タンク２３の上端部に接続されている。
【００３１】
尚、三方弁３２の第２の出口は第１のポンプ２６の手前の第１の水回路３６に接続されている。また、前記入水温度センサ１９は第１の水熱交換器９に入る前の第１の水回路３６に取り付けられており、出湯温度センサ２１は第１の水熱交換器９を出た第１の水回路３６に取り付けられている。また、貯湯タンク２３の下端部には水道管に接続された給水配管３７が接続されている。更に、貯湯タンク２３の上端部からは第２の水回路３８が引き出され、第２のポンプ２７、第２の水熱交換器２４を順次経て貯湯タンク２３の中間部に接続されている。
【００３２】
タンクユニット４の第２の水熱交換器２４には浴槽水回路３９が熱交換関係に設けられている。この浴槽水回路３９には第３のポンプ２８とフロースイッチ４１が設けられており、その両端はタンクユニット４から出て屋内に設けられた浴室の浴槽４２に接続される。尚、４３、４４は第２の水熱交換器２４から出た両端の浴槽水回路３９に取り付けられた循環浴槽水温度センサ（温度検出手段）であり、４６は同じく浴槽水回路３９に取り付けられた水位センサである。
【００３３】
また、貯湯タンク２３の上端部からは第３の水回路４７が引き出され、分岐して各混合弁３３、３４の一方の入口に接続されている。また、各混合弁３３、３４他方の入口には給水配管３７が分岐して接続されており、第１の混合弁３３の出口には浴槽用配管３５が接続され、この浴槽用配管３５は電磁弁２９、風呂フローセンサ４８を経て第３のポンプ２８と第２の水熱交換器２４の間の浴槽水回路３９に接続されている。また、浴槽用配管３５には風呂温度センサ（温度検出手段）４０が取り付けられている。
【００３４】
一方、第２の混合弁３４の出口には給湯配管４９が接続されている。この給湯配管４９は給湯フローセンサ５１を経た後分岐し、一方は屋内の台所に設けられた蛇口５２に、他方は浴槽４２が設けられた浴室に取り付けられているシャワー５３に接続されている。また、給水配管３７には給水温度センサ５４が取り付けられ、給湯配管４９には給湯温度センサ５６が取り付けられている。更に、貯湯タンク２３には上下方向に所定の間隔で貯湯温度センサ５７（実施例では６個、符号は代表して５７で示す）が取り付けられ、各高さにおける水の温度を検出するよう構成されている。更にまた、三方弁３２の入口手前の第１の水回路３６にはヒートポンプ湯温度センサ（温度検出手段）５８が取り付けられている。
【００３５】
タンクユニット４には本発明におけるヒートポンプ装置の制御装置としての制御装置６が設けられており、この制御装置６の入力には風呂温度センサ４０、浴槽水温度センサ４３、４４、水位センサ４６、風呂フローセンサ４８、給湯フローセンサ５１、給水温度センサ５４、給湯温度センサ５６、貯湯温度センサ５７、ヒートポンプ湯温度センサ５８やフロースイッチ４１が接続されている。また、制御装置６には前述した各ポンプ２６〜２８や三方弁３２、各混合弁３３、３４、電磁弁２９は制御装置６の出力に接続されており、各センサやスイッチの出力並びに後述する各リモコン２、３からの指示に基づいて制御装置６により制御される。この制御装置６はヒートポンプユニット７の制御装置１６にケーブル５９で接続されており、制御信号の伝送が相互に行われる（図２）。
【００３６】
（１−３）台所用のリモコン２
本発明の第１のリモコンとしての台所用のリモコン２は、台所の壁面等に取り付けられるもので、図３に示す如く矩形状の本体６１の前面向かって右上に実施例では液晶ディスプレイから成る表示手段としての表示部６２が配置され、その向かって左側にふろ自動スイッチ６３、わき増しスイッチ６４、通話スイッチ６６の各入力手段がそれぞれ配置されている。また、表示部６２の向かって左下に隣接して本発明の操作手段としての便利スイッチ６７が配置されている。
【００３７】
前記ふろ自動スイッチ６３が操作されると、後述する湯はり運転、保温運転、たし湯の機能が自動で実行される。また、わき増しスイッチ６４が操作されると、貯湯タンク２３を全量わき上げる機能が実行される。また、通話スイッチ６６が操作されると、浴室用のリモコン３との通話が可能となる。尚、便利スイッチ６７については後に詳述する。
【００３８】
この便利スイッチ６７の向かって右側には上下左右の矢印及び中央の決定の各スイッチから成る選択スイッチ６８が配置されている。この選択スイッチ６８は、各種機能の選択や温度、動作の設定を行うもので、本発明の選択手段を構成する。更に、選択スイッチ６８の向かって右側にはメニュー／戻るスイッチ６９が配置されているが、これらのスイッチは何れもリモコン２の本体６１表面の半透明のシートを一部透明とすることで形成されており、本体６１内には各スイッチに対応してそれぞれバックライト照明７１（図６）が配置されている。また、本体６１の前面にはマイク７２及びスピーカ７３（図６）用の孔７４が形成されている。更に、本体６１内にはリモコン２の制御を司る制御手段としての制御装置７５が内蔵されており、この制御装置７５はタンクユニット４の制御装置６にケーブル７０で接続され、制御信号の伝送が相互に行われる（図２）。
【００３９】
（１−４）浴室用のリモコン３
一方、本発明の第２のリモコンとしての浴室用のリモコン３は、浴室の壁面等に取り付けられるもので、図４に示す如く横長の長方形状の本体７６の前面中央に実施例では液晶ディスプレイから成る表示手段としての表示部７７が配置され、その向かって左側にふろ自動スイッチ７８、優先スイッチ７９、通話スイッチ８１、追いだきスイッチ８２の各入力手段がそれぞれ配置されている。また、表示部７７の向かって左下に隣接して本発明の操作手段としての便利スイッチ８３が配置されており、更にその向かって右側には高温差湯スイッチ８４（入力手段）が配置されている。
【００４０】
前記ふろ自動スイッチ７８が操作されると、同様に湯はり運転、保温運転、たし湯の機能が自動で実行される。また、優先スイッチ７９が操作されて「入」となるとリモコンでの給湯温度（シャワー５３と蛇口６２からの給湯設定温度）の設定が浴室用のリモコン３が優先状態となり、「切」となると浴室用のリモコン３の優先状態が解除される。尚、この優先切換の機能については後に詳述する。通話スイッチ８１が操作されると、同様に台所用のリモコン２との通話が可能となる。追いだきスイッチ８２が操作されると浴槽４２の浴槽用水を設定温度まで温め直す追いだき運転の機能が実行される。また、高温差湯スイッチ８４が操作されると、高温の浴槽用水を浴槽４２に補充する機能が実行される。尚、便利スイッチ８３については後に詳述する。
【００４１】
表示部７７の向かって右側には上下左右の矢印及び中央の決定の各スイッチから成る選択スイッチ８６が配置されている。この選択スイッチ８６も、各種機能の選択や温度、動作の設定を行うもので、本発明の選択手段を構成する。更に、選択スイッチ８６の向かって右上にはメニュー／戻るスイッチ８７が配置されているが、これらのスイッチは何れもリモコン３の本体７６表面の半透明のシートを一部透明とすることで形成されており、本体７６内には各スイッチに対応してそれぞれバックライト照明７１（図６）が配置されている。また、本体７６の前面にはマイク７２及びスピーカ７３（図６）用の孔８８が形成されている。更に、本体７６内にはリモコン３の制御を司る制御手段としての制御装置８９が内蔵されており、この制御装置８９はタンクユニット４の制御装置６にケーブル９０で接続され、制御信号の伝送が相互に行われる（図２）。
【００４２】
（１−５）タンクユニット４の制御装置６
次に、図５はタンクユニット４の制御装置６の機能ブロック図を示している。タンクユニット４の制御装置６は、給湯制御部９１と、タイマ９２と、ヒートポンプ式給湯装置１が実行する複数の機能に関する情報や制御プログラム等が書き込まれた記憶手段(ＲＯＭ等）としての記憶部９３と、各種設定情報等を記憶する読み書き可能で電源が切られてもデータを保持する記憶手段（不揮発性メモリＥＥＰＲＯＭ等）としての記憶部９４と、ヒートポンプユニット７の制御装置１６との通信を制御する通信制御部９６と、各リモコン２、３の制御装置７５、８９との通信を制御する通信制御部９７と、タンクユニット４の前述した各ポンプ２６〜２８や三方弁３２、各混合弁３３、３４、電磁弁２９の被制御機器、風呂温度センサ４０、浴槽水温度センサ４３、４４、水位センサ４６、風呂フローセンサ４８、給湯フローセンサ５１、給水温度センサ５４、給湯温度センサ５６、貯湯温度センサ５７、ヒートポンプ湯温度センサ５８やフロースイッチ４１の各センサ、スイッチを接続するためのインターフェース９８を備えている。
【００４３】
（１−６）リモコン２、３の制御装置７５、８９
他方、図６はリモコン２、３の制御装置７５、８９の機能ブロック図を示している。尚、リモコン２、３の制御装置７５、８９の構成は基本的に同一である。各制御装置７５、８９は、リモコン制御部１０１と、ヒートポンプ式給湯装置１が実行する複数の機能に関する情報や制御プログラム等が書き込まれた記憶手段(ＲＯＭ等）としての記憶部１０２と、各種設定情報等を記憶する読み書き可能な記憶手段としての記憶部１０３と、タンクユニット４の制御装置６との通信を制御する通信制御部１０４と、表示部６２、７７の表示制御を行う表示制御部１０６と、リモコン２、３の前述した各スイッチやマイク７２、スピーカ７３、バックライト照明７１を接続するためのインターフェース１０７を備えている。尚、実施例のリモコン２、３の記憶部１０３は電源が切られるとデータが消去されるＲＡＭ等のメモリである。
【００４４】
（２）ヒートポンプ式給湯装置１の給湯動作
次に、図１に基づき実施例のヒートポンプ式給湯装置１の主な給湯動作について説明する。リモコン２、３のふろ自動スイッチ６３、７８が操作されると、タンクユニット４の制御装置６はヒートポンプユニット７の制御装置１６と協働して浴槽４２内に給湯用水を供給する湯はり運転と、湯はり運転によって浴槽４２に溜められた浴槽用水を設定温度で保温する保温運転を実行する。
【００４５】
（２−１）湯はり運転
湯はり運転では、ヒートポンプユニット７の冷媒回路１３の冷媒が、圧縮機８により圧縮機８→第１の水熱交換器９→膨張弁１１→エバポレータ１２→圧縮機８の順に強制循環される。また、第１のポンプ２６により第１の水回路３６の給湯用水が貯湯タンク２３→第１のポンプ２６→第１の水熱交換器９→三方弁３２→貯湯タンク２３の順に流通される。更に、第３のポンプ２８により第３の水回路４７の給湯用水が貯湯タンク２３→混合弁３３→浴槽用配管３５→電磁弁２９→風呂フローセンサ４８→第３のポンプ２８→フロースイッチ４１→浴槽水回路３９→浴槽４２に流通する。
【００４６】
このように、冷媒及び給湯用水が冷媒回路１３と第１の水回路３６に流れることにより、第１の水熱交換器９において圧縮機８から吐出された高温冷媒と第１の水回路３６を流れる給湯用水との間で熱交換が行われる。そして、第１の水熱交換器９において熱交換が行われることにより、第１の水回路３６を流れる給湯用水の温度が上昇する。この温度が上昇した給湯用水が貯湯タンク２３及び第３の水回路４７、浴槽用配管３５、浴槽水回路３９を通じて浴槽４２に供給されることにより、浴槽４２に浴槽用水が溜められて湯はりが行われる。制御装置６は、例えば風呂温度センサ４０、又は、循環浴槽水温度センサ４４の出力に基づいて混合弁３３を制御し、浴槽４２に供給する浴槽用水の温度を設定温度に制御する。
【００４７】
（２−２）保温運転
次に、保温運転ではヒートポンプユニット７の冷媒回路１３の冷媒が、圧縮機８により圧縮機８→第１の水熱交換器９→膨張弁１１→エバポレータ１２→圧縮機８の順に強制循環される。また、第１のポンプ２６により第１の水回路３６の給湯用水が貯湯タンク２３→第１のポンプ２６→第１の水熱交換器９→三方弁３２→貯湯タンク２３の順に流通される。更に、第２のポンプ２７により第２の水回路３８の給湯用水が貯湯タンク２３→第２のポンプ２７→第２の水熱交換器２４→貯湯タンク２３の順に流通する。更に、第３のポンプ２８により浴槽水回路３９の浴槽用水が浴槽４２→フロースイッチ４１→第３のポンプ２８→第２の水熱交換器２４→浴槽４２の順に流通する。
【００４８】
このように、冷媒及び給湯用水が冷媒回路１３と第１の水回路３６に流れることにより、第１の水熱交換器９において圧縮機８から吐出された高温冷媒と第１の水回路３６を流れる給湯用水との間で熱交換が行われる。そして、第１の水熱交換器９において熱交換が行われることにより、第１の水回路３６を流れる給湯用水の温度が上昇する。また、給湯用水が各回路３６、３８を流通することにより、貯湯タンク２３において、第１の水回路３６を流通する給湯用水と、第２の水回路３８を流通する給湯用水との間で熱交換が行われる。
【００４９】
そして、貯湯タンク２３において熱交換が行われることにより、第２の水回路３８を流通する給湯用水の温度が上昇する。更に、給湯用水及び浴槽用水が各回路３８、３９を流通することにより、第２の水熱交換器２４において第２の水回路３８を流通する給湯用水と浴槽水回路３９を流通する浴槽用水との間で熱交換が行われる。この第２の水熱交換器２４において熱交換し、温度が上昇した浴槽用水が浴槽４２に循環されることにより、浴槽４２の浴槽用水が保温されることになるが、制御装置６は循環浴槽水温度センサ４３、４４の出力に基づき、浴槽用水を設定温度に保温制御する。
【００５０】
尚、追いだき運転の場合の冷媒、給湯用水及び浴槽用水の流れも基本的に保温運転と同様である。また、高温差湯の場合も湯はり運転と同様である。その他の動作について説明を省略する。
【００５１】
（３）台所用及び浴室用のリモコン２、３に係る動作
次に、図７〜図２８を参照しながら台所用のリモコン２と浴室用のリモコン３に係る動作について説明する。
【００５２】
（３−１）起動時の動作
先ず、図７及び図８を参照しながらヒートポンプ式給湯装置１の起動時の動作について説明する。図７はヒートポンプ式給湯装置１の起動時にタンクユニット４の制御装置６と各リモコン２、３の制御装置７５、８９が実行する通信フローである。タンクユニット４の制御装置６は、電源が投入されると先ず自らに接続されているリモコンの接続確認動作を実行する。
【００５３】
この場合、制御装置６の給湯制御部９１は、通信制御部９７により最初に台所用のリモコン２の制御装置７５に要求電文を送信する。台所用のリモコン２のリモコン制御部１０１は、通信制御部１０４を介して制御装置６からの要求電文を受信すると、同じく通信制御部１０４を介して応答電文を制御装置６に返信する。タンクユニット４の制御装置６は、通信制御部９７を介してリモコン２からの応答電文を受信することで、自らに台所用のリモコン２が接続されていることを確認し、記憶部９４に登録する。
【００５４】
次に、タンクユニット４の制御装置６の給湯制御部９１は、通信制御部９７により浴室用のリモコン３の制御装置８９に要求電文を送信する。浴室用のリモコン３のリモコン制御部１０１は、通信制御部１０４を介して制御装置６からの要求電文を受信すると、同じく通信制御部１０４を介して応答電文を制御装置６に返信する。タンクユニット４の制御装置６は、通信制御部９７を介してリモコン３からの応答電文を受信することで、自らに浴室用のリモコン３が接続されていることを確認し、記憶部９４に登録する。このようにしてタンクユニット４の制御装置６は、自らに台所用のリモコン２と浴室用のリモコン３の二台のリモコンが接続されていることを確認する。
【００５５】
次に、制御装置６は設定データ値の整合動作を実行する。ここで、ヒートポンプ式給湯装置１の温度や動作の設定は、リモコン２又はリモコン３において設定される。この設定されたデータ（設定データ値）は、設定操作が行われたリモコン２又はリモコン３の制御装置７５、８９のリモコン制御部１０１が記憶部１０３に書き込むと共に、通信制御部１０４を介してタンクユニット４の制御装置６にも送信される。タンクユニット４の制御装置６の給湯制御部９１は、記憶部９４に送信された設定データ値を書き込んで保存すると共に、設定が行われなかった方のリモコン３又はリモコン２に設定データ値を送信することで、各リモコン２、３とタンクユニット４とで設定データ値を共有する。
【００５６】
しかしながら、前述した如く実施例のリモコン２、３の記憶部１０３は電源が切られた場合にデータが消去されてしまう。そこで、タンクユニット４の制御装置６は上述したリモコンの接続確認動作が終了すると、次に台所用のリモコン２に設定電文を送信することで、記憶部９４に保持している設定データ値を台所用のリモコン２に送信する。リモコン２の制御装置７５のリモコン制御部１０１は、通信制御部１０４を介して制御装置６から設定電文を受信すると、設定データ値を記憶部１０３に書き込み、応答電文をタンクユニット４の制御装置６に返信する。
【００５７】
次に、タンクユニット４の制御装置６は、浴室用のリモコン３に設定電文を送信することで、記憶部９４に保持している設定データ値を浴室用のリモコン３に送信する。リモコン３の制御装置８９のリモコン制御部１０１は、通信制御部１０４を介して制御装置６から設定電文を受信すると、設定データ値を記憶部１０３に書き込み、応答電文をタンクユニット４の制御装置６に返信する。
【００５８】
このように、実施例のヒートポンプ式給湯装置１では起動時に、タンクユニット４の制御装置６が記憶部９４に保存している設定データ値を、各リモコン２、３の制御装置（制御手段）７５、８９に送信するので、各リモコン２、３に不揮発性メモリ等の高価な記憶手段を実装する必要が無くなり、著しいコストの低減を図ることが可能となる。
【００５９】
但し、ヒートポンプ式給湯装置１の起動時に設定データ値の送受信中は各リモコン２、３の操作ができない。そこで、各リモコン２、３の制御装置７５、８９のリモコン制御部１０１は、タンクユニット４の制御装置６から設定データ値を受信し終わるまで、表示制御部１０６により各表示部６２、７７に例えば図８に示す起動中画面を表示する。これにより、使用者は起動時にリモコン２、３の操作ができなくとも故障では無いことを容易に把握できるので、利便性も良好なものとなる。
【００６０】
（３−２）便利スイッチ６７、８３
次に、図９乃至図２０を参照しながら各リモコン２、３に設けられた便利スイッチ６７、８３に係る動作について説明する。ヒートポンプ式給湯装置１は前述した各スイッチにより実行される機能の他、複数の機能を有している。各リモコン２、３のリモコン制御部１０１は、この複数の機能を階層化して各表示部６２、７７に表示し、選択スイッチ６８、８６にて使用者に選択させるように構成されているが、この階層化された機能を呼び出す操作は極めて面倒なものである。そこで、本発明ではリモコン２、３の本体６１、７６の前面に、各表示部６２、７７にそれぞれ隣接して便利スイッチ（操作手段）６７、８３を設け、使用者が頻繁に使用する機能を割り付けることができるように構成されている。
【００６１】
（３−２−１）台所用のリモコン２の便利スイッチ６７
先ず、図９乃至図１３を参照しながら、台所用のリモコン２の便利スイッチ６７に係る動作について説明する。図９は便利スイッチ６７に機能が割り付けられていない状態の台所用のリモコン２の正面図を示している。この場合、制御装置７５のリモコン制御部１０１は、図９に示す基本画面を表示部６２に表示している。
【００６２】
尚、この基本画面には給湯温度（シャワー５３と蛇口５２からの給湯温度の設定値、４２℃）や浴槽用水（ふろ）の温度（ふろの湯の温度の設定値、４０℃）、時刻が表示される。また、リモコン２、３の何れが優先状態となっているかを蛇口５２とシャワー５３のアニメーションで表示されると共に、ヒートポンプユニット７の運転状態や貯湯タンク２３の湯量もアニメーションで表示される。また、便利スイッチ６７に機能が割り付けられていない場合、リモコン制御部１０１は便利スイッチ６７に対応するバックライト照明７１を消灯している。
【００６３】
この状態で使用者がメニュー／戻るスイッチ６９を操作すると、制御装置７５のリモコン制御部１０１は、表示部６２に図１０に示すリモコン２のメニュー画面（第１の階層）を表示する。このメニュー画面には図１０に示す如く台所用のリモコン２で操作可能な各機能が表示される。この図１０の画面で選択スイッチ６８の矢印スイッチを操作して中央の「各種設定」を選択（枠が強調される。以下、同じ）し、決定スイッチを操作すると、リモコン制御部１０１は表示部６２に図１１の各種設定画面（第２の階層）を表示する。
【００６４】
この各種設定画面には図１１に示す如く台所用のリモコン２で設定可能な各機能が表示される。この図１１の画面で選択スイッチ６８の矢印スイッチを操作し、左下の「便利スイッチ」を選択して決定スイッチを操作すると、リモコン制御部１０１は便利スイッチ６８に機能を割り付けるモード（リモコン制御部１０１が予め有している）に入り、表示部６２に図１２の便利スイッチ設定画面（第３の階層）を表示する。この便利スイッチ設定画面には図１２に示す如く台所用のリモコン２の便利スイッチ６７に割り付け可能な各機能が表示される。そして、この図１２の画面で選択スイッチ６８の矢印スイッチを操作し、例えば中央右の「おやすみ」を選択して決定スイッチを操作すると、リモコン制御部１０１はこの画面の「おやすみ」枠内に「選択中」を表示すると共に、便利スイッチ６７に「おやすみ」機能が割り付けられたこと（設定データ値）を記憶部１０３に書き込む。尚、この「おやすみ」機能とは、ヒートポンプユニット７が貯湯タンク２３に湯を生成する動作を停止する機能である。
【００６５】
また、リモコン２のリモコン制御部１０１は、便利スイッチ６７に機能が割り付けられた場合、スピーカ７３により「セットされました。」の音声を出力する。この音声は記憶部１０２に予め格納されている。その後、リモコン制御部１０１は表示部６２の画面を基本画面に戻すが、その場合、図１３に示す如く表示部６２の便利スイッチ６７の近傍に位置する左下の箇所に、「［便利］おやすみ」を表示して割り付けられた機能（「おやすみ」）を使用者に表示する（図１３に楕円で囲んで示す）。更に、リモコン制御部１０１は便利スイッチ６７に対応するバックライト照明７１を点灯する。
【００６６】
更にまた、リモコン２のリモコン制御部１０１はタンクユニット４の制御装置６に便利スイッチ６７に割り付けられた機能を送信する。制御装置６は台所用のリモコン２の便利スイッチ６７に割り付けられた機能を記憶部９４に書き込んで登録する。以後、使用者により台所用のリモコン２の便利スイッチ６７が操作された場合、タンクユニット４の制御装置６はヒートポンプユニット７の制御装置１６と協働して前述した「おやすみ」機能を実行する。
【００６７】
尚、図２０はこの台所用のリモコン２の便利スイッチ６７の設定時の通信フローを示している。台所用のリモコン２において便利スイッチ６７に機能が設定されると、リモコン２の制御装置７５のリモコン制御部１０１は、通信制御部１０４を介してタンクユニット４の制御装置６に便利スイッチ６７に設定された機能を示す設定データ値の設定電文を送信する（登録時）。タンクユニット４の制御装置６は、通信制御部９７を介してリモコン２から設定電文を受信すると、応答電文をリモコン２に送信すると共に、受信した設定データ値（便利スイッチ６７に割り付けられた機能）を記憶部９３に書き込んで登録する。
【００６８】
次に、台所用のリモコン２の便利スイッチ６７が操作されると（動作時）、リモコン２のリモコン制御部１０１はタンクユニット４の制御装置６に便利スイッチ６７が操作されたことを示す設定電文を送信する。タンクユニット４の制御装置６はこの設定電文を受信すると、前述した如く当該便利スイッチ６７に割り付けられた機能を実行すると共に、台所用のリモコン８９に対して、実行している機能を示す設定電文を送信する。台所用のリモコン８９のリモコン制御部１０１は、通信制御部１０４を介してタンクユニット４の制御装置６から設定電文を受信すると、応答電文を返信すると共に、現在の実行されている機能を記憶部１０３に書き込み、表示部７７への表示等を行うことになる。
【００６９】
（３−２−２）浴室用のリモコン３の便利スイッチ８３
次に、図１４乃至図１９を参照しながら、浴室用のリモコン３の便利スイッチ８３に係る動作について説明する。便利スイッチ８３に機能が割り付けられていない状態の浴室用のリモコン３の表示部７７の基本画面での表示状態は図９の場合と同様である。また、同様に便利スイッチ８３に機能が割り付けられていない場合、リモコン３のリモコン制御部１０１は便利スイッチ８３に対応するバックライト照明７１を消灯している。
【００７０】
この状態で使用者がメニュー／戻るスイッチ８７を操作すると、制御装置８９のリモコン制御部１０１は、表示部６２に図１４に示す浴室用のリモコン３のメニュー画面（台所用のリモコン２の場合と異なる。以下、同じ。第１の階層）を表示する。このメニュー画面には図１４に示す如く浴室用のリモコン３で操作可能な各機能が表示される。この図１４の画面で選択スイッチ８６の矢印スイッチを操作して中央の「各種設定」を選択し、決定スイッチを操作すると、リモコン制御部１０１は表示部７７に図１５の浴室用のリモコン３の各種設定画面（第２の階層）を表示する。
【００７１】
この各種設定画面には図１５に示す如く浴室用のリモコン３で設定可能な各機能が表示される。この図１５の画面で選択スイッチ８６の矢印スイッチを操作し、中央下の「便利スイッチ」を選択して決定スイッチを操作すると、リモコン制御部１０１は便利スイッチ８６に機能を割り付けるモード（リモコン制御部１０１が予め有している）に入り、表示部７７に図１６の浴室用のリモコン３の場合の便利スイッチ設定画面（第３の階層）を表示する。この便利スイッチ設定画面には図１６に示す如く浴室用のリモコン３の便利スイッチ８３に割り付け可能な各機能が表示される。そして、この図１６の画面で選択スイッチ８６の矢印スイッチを操作し、例えば中央右の「たし湯」を選択して決定スイッチを操作すると、リモコン制御部１０１は図１８に示す如くこの画面の「たし湯」枠内に「選択中」を表示すると共に、便利スイッチ８３に「たし湯」機能が割り付けられたこと（設定データ値）を記憶部１０３に書き込む。尚、この「たし湯」機能とは、前述した湯はり運転と同様の動作で浴槽４２に湯を所定量補給する機能である。
【００７２】
また、リモコン３のリモコン制御部１０１は、便利スイッチ８３に機能が割り付けられた場合、スピーカ７３により「セットされました。」の音声を出力する。この音声は記憶部１０２に予め格納されている。その後、リモコン制御部１０１は表示部７７の画面を基本画面に戻すが、その場合、図１９に示す如く表示部７７の便利スイッチ８３の近傍に位置する左下の箇所に、「［便利］たし湯」を表示して割り付けられた機能（「たし湯」）を使用者に表示する。更に、リモコン制御部１０１は便利スイッチ８３に対応するバックライト照明７１を点灯する。
【００７３】
更にまた、リモコン３のリモコン制御部１０１はタンクユニット４の制御装置６に便利スイッチ８３に割り付けられた機能を送信する。制御装置６は浴室用のリモコン３の便利スイッチ８３に割り付けられた機能を記憶部９４に書き込んで登録する。以後、使用者により浴室用のリモコン３の便利スイッチ８３が操作された場合、タンクユニット４の制御装置６はヒートポンプユニット７の制御装置１６と協働して前述した「たし湯」機能を実行する。この場合の通信フローは台所用のリモコン２の場合と同様である。即ち、実施例では浴室用のリモコン３と台所用のリモコン２で異なる機能をそれぞれの便利スイッチ８３、６７に割り付け可能とされている。
【００７４】
以上の如く、リモコン２、３の本体６１、７６の前面に便利スイッチ６７、８３を設けており、リモコン２、３の制御装置７５、８９のリモコン制御部１０１は、複数の機能のうちの何れかの機能を便利スイッチ６７、８３に対して割り付けるモードを有し、割り付けられた当該機能を記憶部１０３に記憶させると共に、便利スイッチ６７、８３が操作された場合、当該便利スイッチ６７、８３に対して割り付けられた機能が選択されたことをタンクユニット４の制御装置６に送信するようにしたので、所望の機能を便利スイッチ６７、８３に割り付けておけば、使用者がリモコン２、３の便利スイッチ６７、８３を操作するだけで、当該機能が選択されたことをリモコン２、３の制御装置７５、８９からタンクユニット４の制御装置６に送信することができるようになる。
【００７５】
即ち、複数の機能のうちの所望の機能を簡単な操作で選択して、タンクユニット４の制御装置６に当該機能を実行させることができるようになるので、使用者の使い勝手を著しく向上させることができるようになる。また、便利スイッチ６７、８３には使用者自らが所望する機能を割り付けることになるので、メーカー側としては予め使用頻度の高い機能を予想して各機能に対応したスイッチを複数設けておく必要もなくなり、部品点数の削減とコストの低減も図ることが可能となる利点がある。
【００７６】
また、制御装置７５、８９のリモコン制御部１０１は、便利スイッチ６７、８３に対して割り付けられた機能を表示部６２、７７の基本画面に表示するので、現在便利スイッチ６７、８３に割り付けられている機能を使用者は容易に確認することが可能となり、特に複数の使用者がリモコン２、３を操作する場合に利便性が向上する。
【００７７】
この場合、便利スイッチ６７、８３は表示部６２、７７に隣接して設けられており、制御装置７５、８９のリモコン制御部１０１は、便利スイッチ６７、８３に割り付けられた機能を、表示部６２、７７の便利スイッチ６７、８３近傍に位置する箇所に表示するので、便利スイッチ６７、８３とそれに割り付けられている機能との関係が分かり易くなり、特にリモコン操作に不慣れな使用者にとって極めて使い勝手の良いものとなる。
【００７８】
また、リモコン２、３には便利スイッチ６７、８３に対応して設けられたバックライト照明７１が設けられており、制御装置７５、８９のリモコン制御部１０１は、便利スイッチ６７、８３に機能が割り付けられている場合、バックライト照明７１を点灯させ、便利スイッチ６７、８３に機能が割り付けられていない場合、バックライト照明７１を消灯させるので、便利スイッチ６７、８３に機能が割り付けられているか否かが極めて分かり易くなると共に、機能が割り付けられていない便利スイッチ６７、８３を誤って操作してしまう無駄も未然に排除することが可能となる。
【００７９】
ここで、実施例ではヒートポンプ式給湯装置１に台所用のリモコン２と浴室用のリモコン３の複数のリモコンが接続されており、浴室で良く使用する機能を浴室用のリモコン３の便利スイッチ８３に割り付け、台所では当該台所で良く使用する機能を台所用のリモコン２の便利スイッチ６７に割り付けることが可能とされているので、極めて使い勝手の良いヒートポンプ式給湯装置１を実現することができるようになる。
【００８０】
また、便利スイッチ６７、８３に機能を割り付けた場合に、リモコン制御部１０１はスピーカ７３により音声を出力するので、便利スイッチ６７、８３に機能の割り付けが完了したことを容易に確認することができるようになる。
【００８１】
尚、実施例では便利スイッチ６７、８３に機能を割り付けた場合に、スピーカ７３により「セットされました。」の音声を出力するようにしたが、割り付けられた各機能に応じて異なる音声（各音声も記憶部１０２に予め格納しておく）を出力するようにしてもよい。例えば、割り付けた機能の名称と共に「セットされました。」を出力し、或いは、当該機能に特に必要な告知事項を音声で出力するようにすれば、便利スイッチ６７、８３に割り付けられた各種機能に応じて使用者に告知すべき事項を確実に報知することができるようになる。
【００８２】
また、便利スイッチ６７、８３には一つの機能がそれぞれ割り付けられる。この機能は図１６の「選択解除」を選択することで解除することが可能であり、割り付ける機能を変更したい場合にはセットし直せばよいが、それに限らず、リモコン制御部１０１が便利スイッチ６７、８３の複数の操作状態（例えば、長押しと短押し）を識別できるようにしておき、各操作状態に対応して異なる機能をそれぞれ割り付け可能とすれば、一つの便利スイッチ６７、８３に対して複数の機能を割り付けることが可能となり、部品点数を増やすことなく更なる利便性の向上を図ることができるようになる。
【００８３】
更に、実施例では便利スイッチ６７、８３に使用者が機能を割り付けるようにしたが、それに限らず、リモコン制御部１０１が使用者の使用状態を学習し、複数の機能のうちの使用頻度の高い機能を便利スイッチ６７、８３に対して自動的に割り付けるようにしてもよい。それにより、使用者が割り付けること無く、当該使用者の使用頻度が高い機能がリモコン制御部１０１によって便利スイッチ６７、８３に割り付けられるようになるので、更なる利便性の改善が図られることになる。
【００８４】
（３−３）リモコン２、３の優先切換
次に、図２１乃至図２５を参照しながら台所用のリモコン２と浴室用のリモコン３の前述した優先切換の機能について説明する。前述した如く第２の混合弁３４の出口に接続された給湯配管４９は分岐して蛇口５２とシャワー５３に接続されているため、台所の蛇口５２と浴室のシャワー５３には、同一の給湯温度の湯が供給されることになるが、この給湯温度は各リモコン２、３の基本画面において選択スイッチ６８、８６の上下矢印を操作することで、実施例では３６℃〜４８℃、６０℃（高温）に変更可能とされている。尚、給湯温度が高温の６０℃に設定された場合、各リモコン２、３のリモコン制御部１０１は図２１に示す如く表示部６２、７７の基本画面に「高温」、「６０℃」を表示して注意を促す。
【００８５】
しかしながら、上述のようにシャワー５３への給湯温度と蛇口５２への給湯温度は同一であるため、台所用のリモコン２で給湯温度が６０℃の高温に設定された状態でリモコン３の表示部７７に表示された温度に気づかないでシャワー５３が使用された場合、浴室の使用者が火傷を負う危険性がある。そこで、従来では係る事故を防止するために、浴室用のリモコンに優先スイッチ（実施例の優先スイッチ７９に相当）を設け、この優先スイッチが操作されて浴室用のリモコンが優先状態となっている場合、台所用のリモコンからの給湯温度の設定が拒否されるようにしていた。そのため、従来では台所用のリモコンで給湯温度を設定したい場合、浴室に行って浴室用のリモコンの優先スイッチを操作し、浴室用のリモコンの優先状態を解除しなければならず、極めて不便なものであった。
【００８６】
そこで、本実施例では一定の条件下で台所用のリモコン２においても優先状態の切り換えが行えるようにした。即ち、従来同様に浴室用のリモコン３の優先スイッチ７９が操作されて「入」となっている場合、浴室用のリモコン３が優先状態となり、台所用のリモコン２では給湯温度の設定は拒否される。この浴室用のリモコン３の優先状態は、図２４に示す如くシャワー５３のアニメーションで各リモコン２、３の表示部６２、７７の基本画面に表示される。尚、台所用のリモコン２が優先状態であるときは、図２５に示す如く蛇口５２のアニメーションが基本画面に表示される。
【００８７】
一方、台所用のリモコン２のリモコン制御部１０１は、表示部６２に図１１の各種設定画面を表示している状態で中央の「リモコン設定」が選択された場合、図２２に示すリモコン設定画面を表示部６２に表示し、このリモコン設定画面の右下に「高温設定」の機能を表示する。この「高温設定」の機能は、選択スイッチ６８の矢印スイッチでそれを選択した状態で決定スイッチを長押しすることで、「ＯＦＦ」（図２２）と「ＯＮ」（図２３）とに切り換えられる。「高温設定」が「ＯＦＦ」のとき、設定可能な給湯温度は４８℃（高温より低い所定の温度）が上限となり、「ＯＮ」のときは６０℃の高温まで設定可能となる。
【００８８】
また、台所用のリモコン２のリモコン制御部１０１は、図２２に示す如く「高温設定」が「ＯＦＦ」であるとき、リモコン設定画面の右上に「優先」の機能を表示する。この図２２の画面の状態（「高温設定」が「ＯＦＦ」）で、選択スイッチ６８の矢印スイッチを操作し、「優先」を選択して決定スイッチを操作すると、浴室用のリモコン３の優先状態が解除され、台所用のリモコン２が優先状態に切り換わる（基本画面は図２４から図２５に切り換わる）。これにより、従来の如く浴室に行って浴室用のリモコン３の優先スイッチ７９を操作すること無く、台所用のリモコン２で浴室用のリモコン３の優先状態を解除して、台所用のリモコン２により給湯温度を変更可能とすることができるようになるので、利便性が著しく改善される。
【００８９】
但し、図２３に示す如く「高温設定」が「ＯＮ」であるとき、リモコン制御部１０１はリモコン設定画面に「優先」の機能を表示しない（図２３の右上参照）。即ち、この状態では台所用のリモコン２において優先状態の切り換えを行うことはできなくなる。このように、給湯温度を６０℃の高温に設定可能な状態では（「高温設定」が「ＯＮ」）、台所用のリモコン２において優先状態を切り換えられないようにすることにより、入浴中の使用者の知らない間に台所用のリモコン２で優先状態が切り換えられ、当該リモコン２で給湯温度が高温（６０℃）に設定されてしまい、浴室のシャワー５３で使用者が火傷を負う不都合を未然に回避することができるようにし、安全性を担保する。
【００９０】
（３−４）追いだき時の異常表示
前述した如く、浴室用のリモコン３の追いだきスイッチ８２が操作された場合、追いだき運転の機能が実行される。この追いだき運転では、タンクユニット４の制御装置６により前述した第２のポンプ２７と第３のポンプ２８が運転される。これにより、前述した保温運転と同様の流れで第２の水熱交換器２４において貯湯タンク２３からの給湯用水により浴槽４２内の浴槽用水が加熱され、温め直しが行われる。そして、設定温度（又は設定温度＋α）の温度まで浴槽用水の温度が上昇した時点で終了される。
【００９１】
この追いだき運転の終了判定は、追いだき時の浴槽用水の流れに対して第２の水熱交換器２４の上流側に位置する循環浴槽水温度センサ４４が検出する温度に基づいて行われるが、所定の運転時間（例えば６０分等）が経過しても浴槽用水が設定温度まで温度上昇しない場合、従来では一律に機械故障や浴槽水回路３９や第２の水回路３８の配管詰まりと判断してタンクユニット４の制御装置６は各リモコン３、２の制御装置８９、７５に異常データを送信し、リモコン３やリモコン２の表示部７７、６２にエラーを表示させていた。
【００９２】
このエラー表示を見て使用者は、メンテナンス業者に修理依頼をすることになるが、浴槽水回路３９や第２の水回路３８の配管詰まりの他にも、例えば浴槽４２の浴槽用水が水（常温以下か、それに近い温度の水）である状態で追いだきスイッチ８２が操作された場合には、係る機械故障や配管詰まりが生じていなくとも、浴槽４２の浴槽用水の温度が設定温度に到達するまでに時間がかかるため、追いだき１回の運転時間（前述した所定の運転時間）では設定温度に達しない場合がある。係る場合にも修理依頼が行われると、極めて無駄な作業が発生ことになるため、実施例のヒートポンプ式給湯装置１では、上述のような水からの追いだき運転が要求されたときに１回の運転時間が経過した場合、図２６に示す異常表示を行う。
【００９３】
即ち、浴室用のリモコン３のリモコン制御部１０１は、追いだきスイッチ８２が操作され、追いだき運転が開始された時点で、この追いだき時の浴槽用水の流れに対して第２の水熱交換器２４の上流側に位置する循環浴槽水温度センサ４４が検出する温度Ｔ１を読み込む。そして、１回の運転時間が経過しても設定温度に達しなかった場合、運転時間が経過した時点で循環浴槽水温度センサ４４が検出している温度Ｔ２を読み込み、それらの差（Ｔ２−Ｔ１）が所定値（例えば１０Ｋ等）以上であった場合、第２の水熱交換器２４で浴槽用水が支障無く加熱されていると判断できる。
【００９４】
その場合には水からの追いだき運転と判定して配管詰まりと区別する。即ち、１回の運転時間が経過しても設定温度に達しなかったが、差（Ｔ２−Ｔ１）が所定値以上あった場合は、配管詰まりでは無く水からの追いだき運転と判定して、図２６の異常表示を浴室用のリモコン３の表示部７７にて行う。
【００９５】
図２６の異常表示画面では、例えば「追いだき１回の運転時間が終わりました。お風呂を熱くするには高温差湯がおすすめです。決定で再開」のメッセージ文字を表示する。使用者は係る異常表示により、修理依頼を行うこと無く、選択スイッチ８６の決定スイッチを操作して、再度追いだき運転を行うか、高温差湯スイッチ８４を操作することになる。これにより、無駄な修理にかかる作業の発生が未然に回避されることになる。
【００９６】
尚、前記温度差（Ｔ２−Ｔ１）が所定値未満であったときは、浴室用のリモコン３のリモコン制御部１０１は浴槽水回路３９、及び／又は、第２の水回路３８の配管詰まりと判定して表示部７７に配管詰まりのエラー表示を行うことになる（台所用のリモコン２の表示部６２にもエラー表示を行わせる）。
【００９７】
また、例えば給湯により多量の湯が使用されて貯湯タンク２３内のお湯が不足している、或いは、無くなっている状況において追いだきスイッチ８２が操作されたときも、追いだき運転を完了することができなくなる。そこで、浴室用リモコン３のリモコン制御部１０１は、追いだきスイッチ８２が操作され、追いだき運転が行われているときに、或いは、追いだき運転を開始したときに、貯湯タンク２３の例えば一番上の貯湯温度センサ５７が水を検知した場合、貯湯タンク２３内のお湯が無くなっていると判断できるので、その場合にも配管詰まりと区別する。そして、係る場合には、図２７の異常表示を浴室用のリモコン３の表示部７７にて行う。
【００９８】
図２７の異常表示画面では、例えば「タンクのお湯が少なくなったため、追いだき運転を中止しました。決定で再開」のメッセージ文字を表示する。使用者は係る異常表示により、修理依頼を行うこと無く、選択スイッチ８６の決定スイッチを操作して、再度追いだき運転を行うことになる。これにより、無駄な修理にかかる作業の発生が未然に回避されることになる。尚、タンクユニット４の制御装置６は上記のように貯湯タンク２３内のお湯が不足したときは、ヒートポンプユニット７の制御装置１６と協働して貯湯タンク２３内にお湯を生成する運転を開始することになる。
【００９９】
尚、リモコン３、２は前述した湯はり運転中に貯湯タンク２３内のお湯が無くなったときにも、同様のエラー表示を表示部７７や６２に行うものとする。
【０１００】
（３−５）リモコン２、３における外気温度表示機能
次に、リモコン２、３では各表示部６２、７７に外気温度を表示する機能を備えている。この外気温度を表示させたい場合、実施例の台所用のリモコン２では図１０の各種設定画面における右下の「外気温度」を、また、浴室用のリモコン３の場合には図１４の各種設定画面における左中央の「外気温度」をそれぞれ選択することになる。
【０１０１】
ここで、従来のヒートポンプ式給湯装置では、リモコンで外気温度の表示機能が選択された場合、リモコンの制御装置からタンクユニットの制御装置に要求電文が送信され、それに応じてタンクユニットの制御装置がヒートポンプユニットの電源を投入し、ヒートポンプユニットの制御装置に指示してエバポレータの送風機を運転させ、外気温度センサ（実施例における外気温度センサ１８）から外気温度をヒートポンプユニットの制御装置に取り込ませる。そして、この取り込んだ外気温度の通信データがヒートポンプユニットの制御装置からタンクユニットの制御装置に送信され、このタンクユニットの制御装置からリモコンの制御装置に送信されるという制御を行っていた。
【０１０２】
しかしながら、ヒートポンプユニットが待機状態である場合、即ち、貯湯タンクに湯が十分に生成されている等の場合に、リモコンで外気温度の表示機能が選択されたときは、この外気温度を表示させるだけのためにヒートポンプユニットに電源が投入され、送風機が運転されることになっていたため、待機消費電力が増加し、ＡＰＦ値（年間給湯効率）が低下してしまうという問題があった。
【０１０３】
そこで、本実施例ではヒートポンプユニット７の外気温度センサ１８では無く、外気温度に近似した温度を検出しているタンクユニット４の別の温度センサを用いてリモコン２、３に外気温度を表示できるようにした。その場合に利用可能な温度センサとして考えられるのは、実施例ではタンクユニット４に設けられた風呂温度センサ４０、循環浴槽水温度センサ４３、４４である。
【０１０４】
即ち、前述した湯はり運転中は循環浴槽水温度センサ４３が取り付けられた箇所の浴槽水回路３９には湯が流れない。また、前述した保温運転（又は、追いだき運転）中は風呂温度センサ４０が取り付けられた浴槽用配管３５には湯は流れない。また、湯はり運転（たし湯運転を含む）と保温運転（追いだき運転を含む）の何れも行っていないときは各温度センサ４０、４３、４４の何れの箇所にも湯は流れない。そして、タンクユニット４は屋外に設置されているため、このように湯が流れていない状態の各温度センサ４０、４３、４４は外気温度又はそれに近似した温度を検出していると考えられる。
【０１０５】
そこで、実施例では各リモコン２、３で外気温度の表示機能が選択されたとき、湯はり運転中であった場合には、タンクユニット４の制御装置６は循環浴槽水温度センサ４３が検出している温度を取り込み、保温運転中であった場合には、風呂温度センサ４０が検出している温度を取り込み、湯はり運転（たし湯運転を含む）及び保温運転（追いだき運転を含む）の何れも行っていない場合には、各温度センサ４０、４３、４４の何れか、又はそれらが検出している温度を全て取り込んで平均値を算出する。
【０１０６】
そして、取り込んだ温度、又は、算出した温度を通信データとしてタンクユニット４の制御装置６が各リモコン２、３の制御装置７５、８９に送信する。各リモコン２、３のリモコン制御部１０１は、外気温度の表示機能が選択されてから、タンクユニット４の制御装置６より温度の通信データを受信するまでの間、例えば図２８に示す如く各表示部６２、７７の基本画面に「外気取得中」の表示を行い、データを受信したときは、図２９に示す如く基本画面に「外気」、「−２２℃」で外気温度を表示する。
【０１０７】
このように、実施例ではリモコン２、３で外気温度を表示する場合、ヒートポンプユニット７の外気温度センサ１８では無く、タンクユニット４の温度センサ４０、４３、４４が検出する温度（外気温度又はそれに近似した温度）をタンクユニット４の制御装置６から各リモコン２、３の制御装置７５、８９に送信して表示するようにしたので、従来の如く外気温度の表示のためだけにヒートポンプユニット７に電源を投入する必要がなくなり、待機消費電力の増加を防止してＡＰＦ値の低下を回避することができるようになる。
【０１０８】
ここで、実施例のように風呂温度センサ４０、循環浴槽水温度センサ４３、４４が検出する温度を外気温度表示に利用しても、湯はり運転と保温運転は同時には実行されないので、何れかの温度センサは必ず利用可能となり、外気温度の表示に支障は生じない。
【０１０９】
また、実施例の風呂温度センサ４０、循環浴槽水温度センサ４３、４４に限らず、貯湯タンク２３に湯を生成していないときは、第１の水回路３６にも湯は流れないので、その場合には、タンクユニット４のヒートポンプ湯温度センサ５８も外気温度又はそれに近似した温度を検出していると考えられる。従って、この貯湯タンク２３に湯を生成していないときは、ヒートポンプ湯温度センサ５８が検出する温度、又は、それを加えた平均値を外気温度表示に利用してもよい。
【０１１０】
尚、上述した実施例ではヒートポンプ装置の一例としてヒートポンプ式給湯装置１に本発明を適用したが、それに限らず、ヒートポンプユニット７を用いて床暖房を行うヒートポンプ式床暖房装置（この場合のヒートポンプ装置）にも本発明は有効である。その場合には、実施例のタンクユニット４は設けず、ヒートポンプユニット７の制御装置１６がヒートポンプ装置の制御装置となる。そして、第１の水熱交換器９に実施例の第１の水回路３６に相当する床暖房回路が熱交換関係に設けられる。
【０１１１】
また、リモコン２、３も台所と浴室では無く、居間や寝室に設けられ、各制御装置７５、８９はヒートポンプユニット７の制御装置１６にケーブルで接続されることになる。このような構成のヒートポンプ式床暖房装置も多機能化が進んであり、本発明のヒートポンプ装置用リモコン、それを用いたヒートポンプ装置は極めて有効である。
【符号の説明】
【０１１２】
１  ヒートポンプ式給湯装置（ヒートポンプ装置）
２  台所用のリモコン（第１のリモコン）
３  浴室用のリモコン（第２のリモコン）
４  タンクユニット
６  制御装置
７  ヒートポンプユニット
８  圧縮機
９  第１の水熱交換器
１１  膨張弁
１２  エバポレータ
１４  送風機
２３  貯湯タンク
２４  第２の水熱交換器
３５  浴槽用配管
３６  第１の水回路
３８  第２の水回路
３９  浴槽水回路
４０  風呂温度センサ
４２  浴槽
４３、４４  循環浴槽水温度センサ
５２  蛇口
５３  シャワー
６２、７７  表示部（表示手段）
６７、８３  便利スイッチ（操作手段）
６９、８６  選択スイッチ（選択手段）
７１  バックライト照明
７３  スピーカ（音声発生手段）
７５、８９  制御装置（制御手段）
１０１  リモコン制御部
１０３  記憶部（記憶手段）
【図１】
2017083073.tif 000003
【図２】
2017083073.tif 000004
【図３】
2017083073.tif 000005
【図４】
2017083073.tif 000006
【図５】
2017083073.tif 000007
【図６】
2017083073.tif 000008
【図７】
2017083073.tif 000009
【図８】
2017083073.tif 000010
【図９】
2017083073.tif 000011
【図１０】
2017083073.tif 000012
【図１１】
2017083073.tif 000013
【図１２】
2017083073.tif 000014
【図１３】
2017083073.tif 000015
【図１４】
2017083073.tif 000016
【図１５】
2017083073.tif 000017
【図１６】
2017083073.tif 000018
【図１７】
2017083073.tif 000019
【図１８】
2017083073.tif 000020
【図１９】
2017083073.tif 000021
【図２０】
2017083073.tif 000022
【図２１】
2017083073.tif 000023
【図２２】
2017083073.tif 000024
【図２３】
2017083073.tif 000025
【図２４】
2017083073.tif 000026
【図２５】
2017083073.tif 000027
【図２６】
2017083073.tif 000028
【図２７】
2017083073.tif 000029
【図２８】
2017083073.tif 000030
【図２９】
2017083073.tif 000031